(57)【要約】【課題】送風機構とマイナスイオン発生機構とを兼用することにより極めてコンパクトかつ低廉なコストで製造することができ、しかも視覚的に面白みのある演出効果を得ることができるマイナスイオン発生器を提供する。【解決手段】発生させるイオン風の下流に向かうよう先端が配置された放電電極１と、上記放電電極１の下流側においてイオン風の流れに沿うよう配置された対向電極２とを備え、上記放電電極１は、マイナス電位が印加されることによるコロナ放電によりマイナスイオンのイオン風を発生させるものであり、上記対向電極２よりもさらに下流側において、発生したイオン風の風力で動いて視覚的効果を演出する可動演出部材３をさらに備えた。【選択図】図１
2008047324.tif 000002
【特許請求の範囲】
【請求項１】
発生させるイオン風の下流に向かうよう先端が配置された放電電極と、上記放電電極の下流側に配置された対向電極とを備え、
上記放電電極は、マイナス電位が印加されることによるコロナ放電によりマイナスイオンのイオン風を発生させるものであり、
上記対向電極よりもさらに下流側において、発生したイオン風の風力で動いて視覚的効果を演出する可動演出部材をさらに備えたことを特徴とするマイナスイオン発生器。
【請求項２】
上記放電電極は所定長さに切断された多数の炭素繊維から形成され、各炭素繊維の先端からコロナ放電させてイオン風を発生させる請求項１記載のマイナスイオン発生器。
【請求項３】
上記放電電極と対向電極が、イオン風の流れ方向に沿って複数組直列的に配置されている請求項１または２記載のマイナスイオン発生器。
【請求項４】
上記放電電極と対向電極が、イオン風の流れ方向に対して複数組並列的に配置されている請求項１〜３のいずれか一項に記載のマイナスイオン発生器。
【請求項５】
有効成分を拡散させるための液剤を収容する収容容器と、上記放電電極の上流側もしくは下流側に配置されて上記液剤の有効成分を大気に対して蒸散させる液剤蒸散部とをさらに備えた請求項１〜４のいずれか一項に記載のマイナスイオン発生器。
【請求項６】
上記収容容器内の液剤に対してマイナス電位を印加するための液剤用電極をさらに備えた請求項５記載のマイナスイオン発生器。
【請求項７】
上記収容容器の外壁面と対面した状態でプラスまたはマイナスの電位が印加されて収容容器を誘電分極するための分極用電極をさらに備え、上記収容容器の少なくとも分極用電極と対面する部分を誘電体から形成した請求項５または６記載のマイナスイオン発生器。
【請求項８】
上記放電電極の上流側に液剤蒸散部を配置し、上記放電電極と液剤蒸散部との間において、上記液剤蒸散部に向かうよう先端が配置された第２放電電極と、上記第２放電電極の先端側に配置された第２対向電極とをさらに備えた請求項５〜７のいずれか一項に記載のマイナスイオン発生器。
【発明の詳細な説明】
【技術分野】
【０００１】
本発明は、マイナスイオンを発生して室内等の空気中に放出するマイナスイオン発生器に関するものである。
【背景技術】
【０００２】
従来から、プラスイオンやマイナスイオンを発生させて室内等に放出するイオン発生装置が提案されている。上記イオン発生装置は、イオン化針に高電圧を印加して針の先端からイオンを発生させる放電イオン発生装置を備え、発生させたイオンをファン等による送風によって室内に放出することが行われている。このようなイオン発生装置は、ファンに替わる送風機構として、プラスイオンの運動エネルギーにより空気の流れを生じさせるイオン風発生装置を適用できることが開示されている。また、リラックス効果やリフレッシュ効果をもたせるために、芳香物質を放散する機構を並設することも行われている。（例えば、下記の特許文献１）
【特許文献１】特開平１１−２６５７８０号公報
【発明の開示】
【発明が解決しようとする課題】
【０００３】
しかしながら、上記従来のイオン発生装置では、放電イオン発生装置と、この放電イオン発生装置から発生したイオンを室内に放散するための送風機構とが別々に設けられていることから、装置が大型となりそれだけコストもかかるものとなっている。また、単にイオンを発生させるだけで、視覚的に面白みのある効果を生じさせるものではない。
【０００４】
本発明は、上記のような事情に鑑みなされたもので、送風機構とマイナスイオン発生機構とを兼用することにより極めてコンパクトかつ低廉なコストで製造することができ、しかも視覚的に面白みのある演出効果を得ることができるマイナスイオン発生器を提供することをその目的とする。
【課題を解決するための手段】
【０００５】
上記目的を達成するため、本発明のマイナスイオン発生器は、発生させるイオン風の下流に向かうよう先端が配置された放電電極と、上記放電電極の下流側においてイオン風の流れに沿うよう配置された対向電極とを備え、上記放電電極は、マイナス電位が印加されることによるコロナ放電によりマイナスイオンのイオン風を発生させるものであり、上記対向電極よりもさらに下流側において、発生したイオン風の風力で動いて視覚的効果を演出する可動演出部材をさらに備えたことを要旨とする。
【発明の効果】
【０００６】
すなわち、本発明のマイナスイオン発生器は、放電電極にマイナス電位を印加してコロナ放電させ、マイナスイオンのイオン風を発生させ、発生したマイナスイオンをイオン風の風力で送風する。このように、マイナスイオンを発生させてイオン風で室内に拡散させるため、マイナスイオンによる精神安定やリラックス効果を得ることができる。また、上記放電電極と対向電極により、送風機構とマイナスイオン発生機構とが兼用されていることから、装置が小型化されコストも低廉化する。また、対向電極よりもさらに下流側に、発生したイオン風の風力で動いて視覚的効果を演出する可動演出部材が設けられていることから、マイナスイオンが発生するだけでなく、視覚的に面白みのある演出効果を得ることもできる。
【０００７】
本発明において、上記放電電極は所定長さに切断された多数の炭素繊維から形成され、各炭素繊維の先端からコロナ放電させてイオン風を発生させる場合には、各炭素繊維の先端から分散放電させてイオン風を発生させることにより、従来の針状の放電電極を用いた場合に比べ、微小な電力で風力が強く、可動演出部材を動かすトルクの強いイオン風を発生させることができる。また、金属製の針状放電電極のように金属自体の劣化が生じることがなく、長期間にわたって安定的にマイナスイオンおよびイオン風を発生させることができ、信頼性や寿命の面で大幅に優れたものとなる。また、微小電力による分散放電となることから、周辺の酸化や刺激臭の原因となるオゾンの発生量が大幅に少なくなり、オゾンによる周辺環境への悪影響がなくなる。
【０００８】
本発明において、上記放電電極と対向電極が、イオン風の流れ方向に沿って複数組直列的に配置されている場合には、直列的に配置された複数組の放電電極と対向電極からイオン風が発生するので、より多くのマイナスイオンを発生させるとともに、可動演出部材を動かすトルクのより強いイオン風を発生させることができる。
【０００９】
本発明において、上記放電電極と対向電極が、イオン風の流れ方向に対して複数組並列的に配置されている場合には、並列的に配置された複数組の放電電極と対向電極からイオン風が発生するので、より多くのマイナスイオンを発生させるとともに、可動演出部材を動かすトルクのより強いイオン風を発生させることができる。
【００１０】
本発明において、有効成分を拡散させるための液剤を収容する収容容器と、上記放電電極の上流側もしくは下流側に配置されて上記液剤の有効成分を大気に対して蒸散させる液剤蒸散部とをさらに備えた場合には、液剤蒸散部から自然蒸散する有効成分がイオン風の力によってマイナスイオンとともに室内に拡散され、マイナスイオンによる精神安定やリラックス効果を得るとともに、有効成分が室内に拡散することによる効果も同時に得ることができる。
【００１１】
本発明において、上記収容容器内の液剤に対してマイナス電位を印加するための液剤用電極をさらに備えた場合には、液剤に対してマイナス電位を印加するため、液剤に対して電子を放出することにより液剤の酸化を防止する。したがって、液剤の劣化速度を遅らせて鮮度を保ち、液剤を長持ちさせることが可能となる。
【００１２】
本発明において、上記収容容器の外壁面と対面した状態でプラスまたはマイナスの電位が印加されて収容容器を誘電分極するための分極用電極をさらに備え、上記収容容器の少なくとも分極用電極と対面する部分を誘電体から形成した場合には、液剤の収容容器の誘電体から形成した部分を誘電分極することにより、液剤が電界中に晒されることとなる。その結果、液剤を構成する分子の電子軌道に対して電界が作用し、分子の電子軌道から電子が飛び出すのが防止される。したがって、液剤分子の酸化が防止され、液剤の劣化速度を遅らせて鮮度を保ち、液剤を長持ちさせることが可能となる。
【００１３】
本発明において、上記放電電極の上流側に液剤蒸散部を配置し、上記放電電極と液剤蒸散部との間において、上記液剤蒸散部に向かうよう先端が配置された第２放電電極と、上記第２放電電極の先端側においてイオン風の流れに沿うよう配置された第２対向電極とをさらに備えた場合には、第２放電電極と第２対向電極によって発生するイオン風が液剤蒸散部に直接的に作用するため、自然蒸散する有効成分がイオン風によって広く拡散する。
【００１４】
本発明において、上記液剤蒸散部は収容容器に収容された液剤の液面を含み、上記第２放電電極はマイナス電位が印加されてマイナスイオンを含むイオン風を上記液面に向かって吹き付ける場合には、イオン風によって運ばれるマイナスイオンが液剤の液面に直接吹き付けられ、液剤に対して電子を与えられることにより液剤の酸化を防止する。したがって、液剤の劣化速度を遅らせて鮮度を保ち、液剤を長持ちさせることが可能となる。
【発明を実施するための最良の形態】
【００１５】
つぎに、本発明を実施するための最良の形態を説明する。
【００１６】
図１および図２は、本発明が適用されたマイナスイオン発生器の一実施形態を示す図である。
【００１７】
このマイナスイオン発生器は、筒状フレーム１８の内部に、発生させるイオン風の下流に向かうよう先端が配置された放電電極１と、上記放電電極１の下流側においてイオン風の流れに沿うよう配置された対向電極２と、上記対向電極２よりもさらに下流側において、発生したイオン風の風力で動いて視覚的効果を演出する可動演出部材３と、上記放電電極１の下側に配置された液剤の収容容器１４が収容されて構成されている。
【００１８】
より詳しく説明すると、この例では、放電電極１は、筒状フレーム１８の長手方向に沿って先端が上部開口を向くよう配置され、上記放電電極１の上側に円筒状の対向電極２が筒状フレーム１８と同心状に配置されている。上記放電電極１は、平面視で対向電極２の略中心に位置している。上記対向電極２は支持部材２８で筒状フレーム１８に支持され、放電電極１は支持部材２９で支持されている。また、上記筒状フレーム１８の放電電極１が支持された高さの側面に、空気取入口２０が形成されている。
【００１９】
この状態で、放電電極１にマイナス電位を印加し、対向電極２にプラス電位を印加すると、放電電極１の先端でコロナ放電が起こり、放電電極１の先端から対向電極２の内面に向かって電子が放出される。放出された電子の流れは高電界によって加速されながら気体分子と衝突し、気体分子に運動エネルギーを与えて空気の電子誘導風となって気流を生み出す。このとき、電子の一部は気体分子の結合起動の外殻にトラップされてマイナスに帯電したマイナスイオン分子となる。したがって、電子誘導風は、マイナスイオン分子を含むイオン風の気流となる。
【００２０】
このように、上記放電電極１と対向電極２に直流の電位を印加することによって生じるイオン風は、筒状フレーム１８内を下から上に向かう気流となり、マイナスイオン分子を含むイオン風が上部開口１９から室内に放出され、空気取入口２０から外気が取り入れられる。
【００２１】
上記対向電極２の下流側すなわち筒状フレーム１８の上部開口１９近傍には、発生したイオン風の風力で動いて視覚的効果を演出する可動演出部材３が配置されている。上記可動演出部材３は、支持部材３０により筒状フレーム１８に取り付けられている。図示した例では、上記可動演出部材３として、上昇気流のイオン風で回転するプロペラを適用した例を示している。上記可動演出部材３としては、これに限定する種子ではなく、例えば、ＬＥＤを根元につけて樹脂状に形成したファイバーや、風鈴、人形等、イオン風を受けて動くことにより視覚的演出効果が得られるものであれば各種のものを適用することができる。
【００２２】
一方、上記放電電極１の上流側、この例では筒状フレーム１８の底部に、有効成分を拡散させるための液剤１３を収容する収容容器１４が配置されている。また、液剤１３を吸い上げて蒸散させるためのフェルトやスポンジ等の吸収体が、下部が液剤に浸漬され、上部が収容容器１４の上部開口から突出するよう配置されている。上記吸収体の突出部は、上記液剤１３を大気に対して蒸散させる液剤蒸散部１５として機能する。上記液剤蒸散部１５は、上記放電電極１の上流側に配置され、空気取入口２０から取り入れられた外気がイオン風となって上部開口１９から室内に放散される際に、液剤蒸散部１５から蒸散した有効成分を取り込んで上部開口１９から室内に放散する。
【００２３】
上記液剤１３としては、例えば芳香剤を適用してイオン風によりマイナスイオン分子とともに芳香成分を室内に放散させることができる。上記液剤１３としては、芳香剤に限定するものではなく、例えば、消臭剤、防虫剤、殺虫剤、忌避剤、殺菌剤等各種のものを適用することができる。
【００２４】
図２は、上記放電電極１の詳細を示す図である。上記放電電極１は所定長さに切断された多数の炭素繊維６から形成され、各炭素繊維６の先端からコロナ放電させてイオン風を発生させるようになっている。
【００２５】
この例では、多数の炭素繊維６が束ねられ、環状に形成した絶縁性のゴム部材７が見解されて、その外側を金属環の結束部材８でかしめて結束するとともに、さらに根元部を金属製の端子部材９が巻回されて構成されている。支持部材２９によりゴム部材７や結束部材８の部分を支持し、端子部材９に対してマイナス電位を印加する。また、束ねられた炭素繊維６は、生じさせる気流に沿った長手方向Ｘと直交する方向に先端が切りそろえられている。
【００２６】
上記のように構成した放電電極１にマイナス電位を印加することにより、各炭素繊維６の先端からコロナ放電を生じ、微弱な電力で風力の強いイオン風を生じさせることができる。また、微弱な電力でコロナ放電を生じることから、オゾンの発生量が激減する。
【００２７】
以上のように、本実施形態のマイナスイオン発生器によれば、放電電極１にマイナス電位を印加してコロナ放電させ、マイナスイオンのイオン風を発生させ、発生したマイナスイオンをイオン風の風力で送風する。このように、マイナスイオンを発生させてイオン風で室内に拡散させるため、マイナスイオンによる精神安定やリラックス効果を得ることができる。また、上記放電電極１と対向電極２により、送風機構とマイナスイオン発生機構とが兼用されていることから、装置が小型化されコストも低廉化する。また、対向電極２よりもさらに下流側に、発生したイオン風の風力で動いて視覚的効果を演出する可動演出部材３が設けられていることから、マイナスイオンが発生するだけでなく、視覚的に面白みのある演出効果を得ることもできる。
【００２８】
また、上記放電電極１は所定長さに切断された多数の炭素繊維６から形成され、各炭素繊維６の先端からコロナ放電させてイオン風を発生させるため、各炭素繊維６の先端から分散放電させてイオン風を発生させることにより、従来の針状の放電電極を用いた場合に比べ、微小な電力で風力が強く、可動演出部材３を動かすトルクの強いイオン風を発生させることができる。また、金属製の針状放電電極のように金属自体の劣化が生じることがなく、長期間にわたって安定的にマイナスイオンおよびイオン風を発生させることができ、信頼性や寿命の面で大幅に優れたものとなる。また、微小電力による分散放電となることから、周辺の酸化や刺激臭の原因となるオゾンの発生量が大幅に少なくなり、オゾンによる周辺環境への悪影響がなくなる。
【００２９】
また、有効成分を拡散させるための液剤を収容する収容容器１４と、上記放電電極１の上流側に配置されて上記液剤の有効成分を大気に対して蒸散させる液剤蒸散部１５とをさらに備えたため、液剤蒸散部１５から自然蒸散する有効成分がイオン風の力によってマイナスイオンとともに室内に拡散され、マイナスイオンによる精神安定やリラックス効果を得るとともに、有効成分が室内に拡散することによる効果も同時に得ることができる。
【００３０】
図３は、本発明の第２実施形態のマイナスイオン発生器を説明する図である。
【００３１】
この実施形態は、上記放電電極１の上流側に液剤蒸散部１５を配置し、上記放電電極１と液剤蒸散部１５との間において、上記液剤蒸散部１５に向かうよう先端が配置された第２放電電極２３と、上記第２放電電極２３の先端側に配置された第２対向電極２４とをさらに備えている。
【００３２】
より詳しく説明すると、上記第２放電電極２３は、上記放電電極１と同様に炭素繊維６が束ねられて形成されたものであり、放電電極１の下部に放電電極１とは反対側を向くよう先端を下に向けて配置されている。上記第２対向電極２４は、この例ではリング状に形成され、筒状フレーム１８と同心状に配置され、上記第２対向電極２４の平面視でほぼ中心位置に第２放電電極２３が配置されている。
【００３３】
そして、筒状フレーム１８の側面には、放電電極１および第２放電電極２３が配置された高さ位置に空気取入口２０が形成され、第２対向電極２４よりも下側に、有効成分放散口２５が開口している。
【００３４】
そして、第２放電電極２３に対してマイナス電位が印加され、第２対向電極２４にはプラス電位が印加される。これにより、上述した原理と同様にして第２放電電極２３から第２対抗電極２４に向かうすなわち上から下に向かって吹き降ろすイオン風が発生する。そして、この第２放電電極２３と第２対向電極２４とで発生するイオン風が液剤蒸散部１５から蒸散した有効成分を取り込んで有効成分放散口２５から外部に放散され、空気取入口２０から外気が取り入れられる。
【００３５】
この実施形態によれば、第２放電電極２３と第２対向電極２４によって発生するイオン風が液剤蒸散部１５に直接的に作用するため、自然蒸散する有効成分がイオン風によって広く拡散する。また、第２放電電極２３と第２対向電極２４によってもマイナスイオン分子が生成するため、マイナスイオンによる精神安定やリラックス効果が倍増する。
【００３６】
また、上記液剤蒸散部１５として、収容容器１４に収容された液剤の液面１６を含んでおり、吹き降ろすイオン風の一部は上記液面１６に直接作用する。このように、上記第２放電電極２３はマイナス電位が印加されてマイナスイオンを含むイオン風が上記液面１６に向かって吹き付けるため、イオン風によって運ばれるマイナスイオンが液剤１３の液面１６に直接吹き付けられ、液剤１３に対して電子を与えられることにより液剤１３の酸化を防止する。したがって、液剤１３の劣化速度を遅らせて鮮度を保ち、液剤１３を長持ちさせることが可能となる。
【００３７】
しかも、この実施形態では、可動演出部材３を動かすための対向電極２を、電極面がイオン風の気流に沿うよう配置したため、イオン風を発生させるための電子の流れがより加速され、可動演出部材３を動かすためのイオン風の風力が強くなる。一方、有効成分を拡散させるためのイオン風は、可動演出部材３を動かすためのイオン風よりも弱くてもよいことから、液剤１３の有効成分を拡散させるためのイオン風を発生させる第２対向電極２４をリング状として気流方向の長さを短くしたことから、装置の大きさをそれだけ小さくし、設備効率を向上させることができる。
【００３８】
それ以外は、上記第１の実施形態と同様であり、同様の部分には同じ符号を付している。この実施形態でも、上述した効果以外は上記第１の実施形態と同様の作用効果を奏する。
【００３９】
図４は、本発明の第３実施形態のマイナスイオン発生器を説明する図である。
【００４０】
この実施形態は、上記放電電極１と対向電極２が、イオン風の流れ方向に沿って複数組直列的に配置されたものである。すなわち、放電電極１と対向電極２の組が、上下２段に配置されている。そして、筒状フレーム１８には、上下２つの放電電極１の高さ位置それぞれに空気取入口２０が形成されている。
【００４１】
この例では、上下２段の放電電極１と対向電極２からそれぞれイオン風を生じさせる。下段の放電電極１と対向電極２で発生したイオン風は、上段の対向電極２内を通過する。このとき、下段で発生した放電電極１と対向電極２で発生したイオン風が上段の放電電極１から放出された電子によりさらに運動エネルギーが与えられてイオン風が加速され、さらに強い風力のイオン風となって可動演出部材３に作用する。
【００４２】
これにより、直列的に配置された複数組の放電電極１と対向電極２からイオン風が発生するので、より多くのマイナスイオンを発生させるとともに、可動演出部材３を動かすトルクのより強いイオン風を発生させることができる。
【００４３】
一方、下段の放電電極１の下側には、上記第２の実施形態と同様に、第２放電電極２３と第２対向電極２４が配置され、吹き降ろしのイオン風を発生させ、液剤蒸散部１５および液剤蒸散部１５の一部としての液面１６から蒸散した有効成分をイオン風に乗せて有効成分放散口２５から放散するようになっている。
【００４４】
なお、この態様において、第１実施形態のように第２放電電極２３と第２対向電極２４を設けないようにすることもできる。また、図では放電電極１と対向電極２の組を２段に設けた例を示したが、これに限定するものではなく、３段以上配置することもできる。
【００４５】
それ以外は、上記第１および第２の実施形態と同様であり、同様の部分には同じ符号を付している。この実施形態でも、上述した効果以外は上記第１および第２の実施形態と同様の作用効果を奏する。
【００４６】
図５は、本発明の第４実施形態のマイナスイオン発生器を説明する図である。
【００４７】
この実施形態は、上記放電電極１と対向電極２が、イオン風の流れ方向に対して複数組並列的に配置されたものである。
【００４８】
この例では、３つの円筒状の対向電極２が平面視で正三角形をなすように配置され、３つの放電電極１は対応する対向電極２の略中心位置に配置されている。そして、可動演出部材３としてのプロペラの回転中心は、上記正三角形の中心に位置するように配置されている。
【００４９】
このようにすることにより、並列的に配置された複数組の放電電極１と対向電極２からイオン風が発生するので、より多くのマイナスイオンを発生させるとともに、可動演出部材３を動かすトルクのより強いイオン風を発生させることができる。
【００５０】
図では３組の放電電極１と対向電極２を並列的に配置した例を示したが、これに限定するものではなく、２組を並列的に配置することもできるし、４組以上を並列的に配置することもできる。
【００５１】
また、この態様において、並列的に配置された複数組の放電電極１と対向電極２を、イオン風の流れに沿う方向に沿ってさらに複数組直列的に配置することもできる。この場合において、上下に配置する放電電極１と対向電極２の組は同数とすることもできるし、異なる数とすることもできる。例えば、３組の放電電極１と対向電極２の上や下に１組の放電電極１と対向電極２を配置したり、３組の放電電極１と対向電極２の上や下に同様に３組の放電電極１と対向電極２を配置することもできる。
【００５２】
なお、この態様において、第２実施形態のように第２放電電極２３と第２対向電極２４を設けるようにすることもできる。
【００５３】
それ以外は、上記第１〜第３の実施形態と同様であり、同様の部分には同じ符号を付している。この実施形態でも、上述した効果以外は上記第１〜第３の実施形態と同様の作用効果を奏する。
【００５４】
図６は、本発明の第５実施形態のマイナスイオン発生器を説明する図である。
【００５５】
この実施形態は、上記収容容器１４内の液剤１３に対してマイナス電位を印加するための液剤用電極３３をさらに備えたものである。
【００５６】
この例では、放電電極１の下端に針状の液剤用電極３３が垂下し、この液剤用電極３３は、その先端が底面まで達するよう液剤１３に浸漬されている。そして、液剤用電極３３には放電電極１と同様にマイナス電位が印加されている。
【００５７】
このようにすることにより、上記収容容器１４内の液剤１３に対してマイナス電位を印加するため、液剤１３に対して電子を放出することにより液剤１３の酸化を防止する。したがって、液剤１３の劣化速度を遅らせて鮮度を保ち、液剤１３を長持ちさせることが可能となる。特に、天然由来の成分を含む液剤１３を使用した場合、天然由来成分の酸化による劣化を防止し、液剤１３自体の寿命延長に効果的である。
【００５８】
なお、この態様において、第２実施形態のように第２放電電極２３と第２対向電極２４を設けるようにすることもできるし、第３実施形態のように放電電極１と対向電極２を複数組直列的に配置したり、第４実施形態のように放電電極１と対向電極２を複数組並列的に配置したりすることも可能である。
【００５９】
それ以外は、上記第１〜第４の実施形態と同様であり、同様の部分には同じ符号を付している。この実施形態でも、上述した効果以外は上記第１〜第４の実施形態と同様の作用効果を奏する。
【００６０】
図７は、本発明の第６実施形態のマイナスイオン発生器を説明する図である。
【００６１】
この実施形態は、上記収容容器１４の外壁面と対面した状態でプラスまたはマイナスの電位が印加されて収容容器１４を誘電分極するための分極用電極３４をさらに備え、上記収容容器１４の少なくとも分極用電極３４と対面する部分を誘電体から形成したものである。
【００６２】
この例では、図７（Ａ）に示すように、上記収容容器１４は、強誘電体である樹脂から形成され、収容容器１４の底面に板状の分極用電極３４が配置されている。そして、上記分極用電極３４には、マイナス電位が印加されている。これにより、図７（Ｂ）に示すように、分極用電極３４がマイナス電位になる結果、強誘電体から形成された収容容器１４の底部は、分極用電極３４と対面した側がプラス電位に、液剤１３と接触する側がマイナス電位に誘電分極される。
【００６３】
このように、液剤１３の収容容器１４の誘電体から形成した部分を誘電分極することにより、液剤１３が電界中に晒されることとなる。その結果、液剤１３を構成する分子の電子軌道に対して電界が作用し、分子の電子軌道から電子が飛び出すのが防止される。したがって、液剤分子の酸化が防止され、液剤１３の劣化速度を遅らせて鮮度を保ち、液剤１３を長持ちさせることが可能となる。特に、天然由来の成分を含む液剤１３を使用した場合、天然由来成分の酸化による劣化を防止し、液剤１３自体の寿命延長に効果的である。
【００６４】
図示した例では、分極用電極３４にマイナス電位を印加したが、分極用電極３４にプラス電位を印加して、強誘電体から形成された収容容器１４の底部を、分極用電極３４と対面した側がマイナス電位に、液剤１３と接触する側がプラス電位になるよう誘電分極させるようにしてもよい。この場合も同様の作用効果を奏する。また、分極用電極３４を片極として他極を接地し、交流電流を印加するようにすることもできる。これらの場合も同様の作用効果を奏する。
【００６５】
なお、この態様において、第２実施形態のように第２放電電極２３と第２対向電極２４を設けるようにすることもできるし、第３実施形態のように放電電極１と対向電極２を複数組直列的に配置したり、第４実施形態のように放電電極１と対向電極２を複数組並列的に配置したりすることも可能である。また、第５実施形態の液剤用電極３３を併用することも可能である。
【００６６】
それ以外は、上記第１〜第５の実施形態と同様であり、同様の部分には同じ符号を付している。この実施形態でも、上述した効果以外は上記第１〜第５の実施形態と同様の作用効果を奏する。
【００６７】
図８は、本発明の第７実施形態のマイナスイオン発生器を説明する図である。
【００６８】
この実施形態は、有効成分を拡散させるための液剤１３を収容する収容容器１４と、上記液剤１３の有効成分を大気に対して蒸散させる液剤蒸散部１５とをさらに備え、上記液剤蒸散部１５を上記放電電極１の下流側に配置したものである。
【００６９】
すなわち、筒状フレーム１８の低部に収容容器１４を配置し、筒状フレーム１８の上部開口１９近傍に先端が下側すなわち液剤蒸散部１５を向くよう放電電極１を配置し、その下側に対向電極２を配置している。そして、上記対向電極２のさらに下流側に可動演出部材３を配置している。この例では、対向電極２と液剤蒸散部１５の間に可動演出部材３を配置している。そして、上記可動演出部材３が配置された高さよりも少し下流側すなわち低い位置に、有効成分放散口２５が形成されている。
【００７０】
これにより、放電電極１と対向電極２とによって生じるイオン風は上から下に吹き降ろす風となり、可動演出部材３に作用するとともに、液剤蒸散部１５から蒸散した液剤１３の有効成分を載せて有効成分放散口２５から周囲に放散される。これのような構成により、一方向に発生するイオン風を可動演出部材３と液剤蒸散部１５の双方に作用させることができて設備効率が良くなる。
【００７１】
なお、この態様において、第３実施形態のように放電電極１と対向電極２を複数組直列的に配置したり、第４実施形態のように放電電極１と対向電極２を複数組並列的に配置したりすることも可能である。また、第５実施形態の液剤用電極３３を設けたり、第６実施形態の分極用電極３４を設けたりすることも可能である。
【００７２】
それ以外は、上記第１、第３〜第６の実施形態と同様であり、同様の部分には同じ符号を付している。この実施形態でも、上述した効果以外は上記第１、第３〜第６の実施形態と同様の作用効果を奏する。
【００７３】
図９は、放電電極１の変形例を示す。（Ａ）は先端部３６が１つの単針状の放電電極１ａ、（Ｂ）は先端部３６が複数の複数針状の放電電極１ｂ、（Ｃ）は板状体の一端がジグザグにカットされて複数の先端部３６を形成した板状の放電電極１ｃ、（Ｄ）は上記板状の電極を丸めて筒状にし、一端部に複数の先端部３６を形成した筒状の放電電極１ｄである。放電電極１としては、上述したように炭素繊維６を束ねたものとするのが好ましいが、このような放電電極１に替えて上記のようなものを用いることもできる。また、第２放電電極２３として上記のようなものを用いることもできる。
【００７４】
図１０は、対向電極２の変形例を示す。（Ａ）は四角筒状の対向電極２ａ、（Ｂ）は四角筒状で先広がりの対向電極２ｂ、（Ｃ）は筒状で先広がりの対向電極２ｃ、（Ｄ）は板状の電極を２枚対面させて配置した対向電極２ｄである。対向電極２としては、筒状のものを用いるのが好ましいが、このような対向電極２に替えて上記のようなものを用いることもできる。また、第２対向電極２４として上記のようなものを用いることもできる。
【００７５】
本発明は、上記各実施形態に限定するものではなく、下記の各変形例を包含する趣旨である。
【００７６】
上記各実施形態では、収容容器１４に収容された液剤１３にフェルトやスポンジ等の吸収体を浸漬して液剤蒸散部１５を収容容器１４の開口から突出させるようにしたが、吸収体を使用せずに、液剤１３の液面１６のみを液剤蒸散部１５とすることもできる。また、液剤１３を導く流路を介して収容容器１４から少し離れたところに液剤蒸散部１５を配置することも可能である。
【００７７】
また、上記各実施形態では、液剤１３の有効成分を自然蒸散させるようにしたが、超音波霧化装置を使用して強制的に霧化させて有効成分を積極的に蒸散させるようにしてもよい。また、加熱装置等によって液剤１３を加熱することにより有効成分を積極的に蒸散させることもできる。
【００７８】
また、上記各実施形態では、先端が対向電極２側を向いてイオン風を発生させる放電電極１によりマイナスイオン分子を生成するようにしたが、これに加えてイオン風の発生には寄与せずにマイナスイオン分子だけを生成するマイナスイオン生成電極を並設するようにしてもよい。
【００７９】
また、上記各実施形態では、外装を筒状フレームとしたが、外装は筒状のものに限定するのではなく、各種の外観形状のものを適用することができる。
【図面の簡単な説明】
【００８０】
【図１】本発明の一実施形態のマイナスイオン発生器を示す図であり、（Ａ）は斜視図、（Ｂ）は断面図である。
【図２】放電電極の一例を示す図であり、（Ａ）は斜視図、（Ｂ）は側面図である。
【図３】本発明の第２実施形態のマイナスイオン発生器を示す断面図である。
【図４】本発明の第３実施形態のマイナスイオン発生器を示す断面図である。
【図５】本発明の第４実施形態のマイナスイオン発生器を示す斜視図である。
【図６】本発明の第５実施形態のマイナスイオン発生器を示す断面図である。
【図７】本発明の第６実施形態のマイナスイオン発生器を示す図であり、（Ａ）は断面図、（Ｂ）は要部拡大断面図である。
【図８】本発明の第７実施形態のマイナスイオン発生器を示す斜視図である。
【図９】放電電極の変形例を示す図である。
【図１０】対向電極の変形例を示す図である。
【符号の説明】
【００８１】
１：放電電極
１ａ〜１ｄ：放電電極
２：対向電極
２ａ〜２ｄ：対向電極
３：可動演出部材
６：炭素繊維
７：ゴム部材
８：結束部材
９：端子部材
１３：液剤
１４：収容容器
１５：液剤蒸散部
１６：液面
１８：筒状フレーム
１９：上部開口
２０：空気取入口
２３：第２放電電極
２４：第２対向電極
２５：有効成分放散口
２８：支持部材
２９：支持部材
３０：支持部材
３３：液剤用電極
３４：分極用電極
３６：先端部
【図１】
2008047324.tif 000003
【図２】
2008047324.tif 000004
【図３】
2008047324.tif 000005
【図４】
2008047324.tif 000006
【図５】
2008047324.tif 000007
【図６】
2008047324.tif 000008
【図７】
2008047324.tif 000009
【図８】
2008047324.tif 000010
【図９】
2008047324.tif 000011
【図１０】
2008047324.tif 000012